(57)【要約】【課題】  表示における視野角の切り換えを実現するにあたって、高い光透過率を維持して消費電力を低く抑えることができ、構成が簡単で、コストの安い電気光学装置を提供する。【解決手段】  電気光学パネル２と、矢印Ａで示す観察側から見て電気光学パネル２の後方に配置されていて電気光学パネル２へ向けて光を出射する第１照明装置３及び第２照明装置４を有する電気光学装置１Ａである。液晶パネル２に近い第１照明装置３の出射光の指向性は、液晶パネル２から遠い第２照明装置４の出射光の指向性よりも狭く設定される。第２照明装置４から出射した光は第１照明装置３を透過して液晶パネル２へ供給される。２つの指向性の異なる照明装置を選択的に使用することにより、視野角の狭い表示及び視野角の広い表示を必要に応じて液晶パネル２から選択的に表示できる。【選択図】        図１
2006106074.tif 000002
【特許請求の範囲】
【請求項１】
電気光学パネルと、
観察側から見て前記電気光学パネルの後方に配置されていて前記電気光学パネルへ向けて光を出射する第１照明装置と、
観察側から見て前記電気光学パネルの後方に配置されていて前記電気光学パネルへ向けて光を出射する第２照明装置とを有し、
前記第１照明装置の出射光の指向性及び前記第２照明装置の出射光の指向性は互いに異なる
ことを特徴とする電気光学装置。
【請求項２】
請求項１記載の電気光学装置において、
前記電気光学パネル、前記第１照明装置及び前記第２照明装置は観察側から順に前記電気光学パネル、前記第１照明装置、そして前記第２照明装置の順番で配置され、
前記第１照明装置は前記第２照明装置から出て前記電気光学パネルへ向かう光を通過させる
ことを特徴とする電気光学装置。
【請求項３】
請求項１又は請求項２記載の電気光学装置において、前記第１照明装置及び前記第２照明装置のいずれか一方を点灯させると同時に他方を消灯させる制御手段を有することを特徴とする電気光学装置。
【請求項４】
請求項１から請求項３のいずれか１つに記載の電気光学装置において、前記第１照明装置の出射光の指向性を半値角でαとするとき、
０°≦α≦１０°
であり、前記第２照明装置の出射光の指向性を半値角でβとするとき、
２０°≦β≦３５°
であることを特徴とする電気光学装置。
【請求項５】
請求項１から請求項４のいずれか１つに記載の電気光学装置において、
前記第１照明装置は、
前記電気光学パネルに対向して配置された第１導光体と、
該第１導光体の側方位置に配置された第１光源と
を有し、
前記第１導光体は前記第１光源から出た光を前記第２照明装置の出射光の指向性よりも狭い指向性で前記電気光学パネルへ向かう面状の光に変換し、
前記第１導光体は前記第２照明装置から前記電気光学パネルへ向かう光を通過させる
ことを特徴とする電気光学装置。
【請求項６】
請求項５記載の電気光学装置において、
前記第１導光体は透光性の樹脂材料によって形成され、
前記第１導光体の観察側の面及び／又は観察反対側の面には前記第１光源から出た光を前記電気光学パネルへ向かわせるパターンが形成される
ことを特徴とする電気光学装置。
【請求項７】
請求項５又は請求項６記載の電気光学装置において、前記第１導光体と前記電気光学パネルとの間にヘイズ値が５０％以下の拡散層を設けたことを特徴とする電気光学装置。
【請求項８】
請求項５から請求項７のいずれか１つに記載の電気光学装置において、前記第１光源は線状光源であり、該線状光源はその軸線が前記電気光学パネルを視認する際の縦方向に延びるように配置されることを特徴とする電気光学装置。
【請求項９】
請求項１から請求項８のいずれか１つに記載の電気光学装置において、
前記第２照明装置は、
前記第１照明装置に対向して配置された第２導光体と、
該第２導光体の側方位置に配置された第２光源とを有し、
前記第２導光体は前記第２光源から出た光を前記第１照明装置の出射光の指向性よりも広い指向性で前記第１照明装置へ向かう面状の光に変換する
ことを特徴とする電気光学装置。
【請求項１０】
請求項９載の電気光学装置において、前記第１導光体と前記第２導光体との間に少なくとも１つの拡散層を設けたことを特徴とする電気光学装置。
【請求項１１】
請求項９又は請求項１０記載の電気光学装置において、前記第１導光体と前記第２導光体との間に反射偏光子を設けたことを特徴とする電気光学装置。
【請求項１２】
光を発生する第１光源と、
照明対象物に対向して配置され前記第１光源から出た光を面状の光に変換する第１導光体と、
光を発生する第２光源と、
前記照明対象物から見て前記第１導光体の後方に配置されると共に前記第２光源から出た光を前記第１導光体へ向かう面状の光に変換する第２導光体と
を有し、
前記第１導光体の出射光の指向性は前記第２導光体の出射光の指向性よりも狭い
ことを特徴とする照明装置。
【請求項１３】
請求項１から請求項１２のいずれか１つに記載の電気光学装置を有することを特徴とする電子機器。
【発明の詳細な説明】
【技術分野】
【０００１】
本発明は、照明用の光を発生する照明装置に関する。また、本発明は、液晶表示装置等といった電気光学装置に関する。また、本発明は、電気光学装置を用いて構成される電子機器に関する。
【背景技術】
【０００２】
現在、携帯電話機、携帯情報端末機、ＩＣレコーダ、その他種々の電子機器に電気光学装置が広く用いられている。例えば、電子機器に関する種々の情報を画像として表示するために電気光学装置が用いられている。この電気光学装置として、照明装置から供給される光の通過を画素ごとに許容又は遮蔽することにより、文字、数字、図形等といった像を表示するものが知られている。
【０００３】
電気光学装置の表示を観察する場合、その表示の秘密性が高いときには、観察者以外の第三者にその表示を見せたくないという要望がある。つまり、観察者以外の第三者が視認者の横から表示を覗き見ること防止したいという要望がある。その一方で、公共性の高い表示を多くの者が同時に見る場合のように、正面の観察者以外の第三者にも広く表示を見せたいという要望もある。このような異なる２つの要望に応えるため、電気光学装置の表示領域に表示を行う際、要望に応じて視野角を切り換えるという技術が知られている。
【０００４】
例えば、パネルとバックライトとの間にＰＤＬＣセルを設け、さらにパネル上にも液晶セルを設け、これらのセルの動作を制御することにより視野角を制御するという技術が知られている（例えば、特許文献１参照）。また、パネルの信号処理により、視野角を制御する方法が知られている（例えば、特許文献２参照）。
【０００５】
【特許文献１】特開平１０−１９７８４４号公報（第３頁、図２）
【特許文献２】特開２００１−１４７６７３号公報（第５〜６頁、図１）
【発明の開示】
【発明が解決しようとする課題】
【０００６】
しかしながら、上記特許文献１に開示された技術では、光をセルに通すことにより透過率が低下するという問題がある。また、複数のセルを用いることにより、電気光学装置の厚さが厚くなると共にコストが高くなるという問題がある。また、特許文献２に開示された技術では、信号処理のための回路構成が複雑になり、消費電力が大きくなり、回路のコストが高くなるという問題がある。
【０００７】
本出願人は、これらの問題を解消しつつ、視野角の切り換えを実現できる技術として、特願２００４−１４７５３６号において次のような新たな電気光学装置を提案した。この電気光学装置では、バックライトを構成する１つの導光体の２つの角部のそれぞれに光源を配設し、それらの光源に対応させて１つの導光体に異なる光反射パターンを形成し、それらの光源を選択的に点灯させることにより、１つの導光体から視野角の異なる２つの光を選択的に出射させるようにしている。
【０００８】
この構造の電気光学装置は、特許文献１及び特許文献２に開示された技術、すなわちパネル側の制御によって視野角を切り換えるという技術に比べれば、構成が簡単であり、光の透過率を高く維持でき、コストが安い等といった種々の利点を有している。しかしながら、この電気光学装置では、１つの導光体に形成するパターンが複雑になって光の透過効率が低下するおそれ、従って消費電力が大きくなるおそれがある。
【０００９】
本発明は、上記の問題点に鑑みて成されたものであって、視野角の切り替えを実現するにあたって、高い光透過率を維持して消費電力を低く抑えると共に、構成が簡単で、コストの安い電気光学装置、照明装置、電子機器を提供することを目的とする。
【課題を解決するための手段】
【００１０】
本発明に係る電気光学装置は、電気光学パネルと、観察側から見て前記電気光学パネルの後方に配置されていて前記電気光学パネルへ向けて光を出射する第１照明装置と、観察側から見て前記電気光学パネルの後方に配置されていて前記電気光学パネルへ向けて光を出射する第２照明装置とを有し、前記第１照明装置の出射光の指向性及び前記第２照明装置の出射光の指向性は互いに異なることを特徴とする。
【００１１】
上記構成において、電気光学パネルは、電気的な条件を制御することにより光学的な出力状態を変化させるパネル構造体であり、例えば、液晶表示装置における液晶パネル等が考えられる。第１照明装置及び第２照明装置の構成は特定のものに限定されない。これらは、面状の光を独立して電気光学パネルへ供給できるものであれば良い。これらの照明装置は互いに重ね合わされて配設されても良く、あるいは、同じ平面内に並べて配設されても良い。
【００１２】
上記構成の本発明に係る電気光学装置によれば、出射光の指向性が異なる２つの照明装置を電気光学パネルに対して付設したので、電気光学パネルへ光を供給する照明装置をそれらの間で切り換えれば、観察者が観察する電気光学パネルの表示に関して視野角を切り換えることができる。そしてこの場合、視野角の切り換えを行うのは電気光学セルではなくて照明装置であるので、切り換えられる表示は高い光透過率を維持することができ、従って消費電力を低く抑えることができる。また、電気光学セルの制御によって視野角を切り換える場合に比べて構成が簡単であり、コストが安い。
【００１３】
また、特願２００４−１４７５３６号に開示されたように、１つの照明装置内において１つの導光体に２つの光源を付設し、その１つの導光体に特殊なパターンを形成し、上記２つの光源の点灯を切り換えることにより、視野角を切り換えることも可能であるが、この装置の場合には１つの導光体に複雑なパターンを形成しなければならないので、出射光が面内で不安定になったり、消費電力に対する出射光の光量の割合、すなわち出射光の効率が低下することがあるかもしれない。特に、２つの照明装置を同時に点灯させたときに、２つの光源からの光が互いに影響し合って不安定になったり、出射光の効率が低下することがあるかもしれない。これに対して本発明によれば、照明装置を複数、独立して設けたので、出射光の面内安定性を高く保持でき、さらに出射光の効率を高く維持できる。
【００１４】
次に、本発明に係る電気光学装置において、前記電気光学パネル、前記第１照明装置及び前記第２照明装置は観察側から順に前記電気光学パネル、前記第１照明装置、そして前記第２照明装置の順番で配置され、前記第１照明装置は前記第２照明装置から出て前記電気光学パネルへ向かう光を通過させることが望ましい。
【００１５】
この構成は、２つの照明装置を互いに重ね合わせて配置し、そして電気光学パネルに近い第１照明装置を光を通過させることができるように構成したものである。この第１照明装置を光を通過させることができるように構成したのは、電気光学パネルから遠い位置にある第２照明装置が点灯したときに、その光を第１照明装置を通して電気光学パネルへ供給できるようにするためである。
【００１６】
この態様に係る本発明の電気光学装置によれば、２つの照明装置を切り換えて視野角を制御するという技術を確実に実現できる。
【００１７】
次に、本発明に係る電気光学装置は、前記第１照明装置及び前記第２照明装置のいずれか一方を点灯させると同時に他方を消灯させる制御手段を有することが望ましい。こうすれば、消費電力を低減できる。また、電気光学パネルを正面から見た場合の明るさの調整がし易くなる。
【００１８】
次に、本発明に係る電気光学装置において、前記第１照明装置の出射光の指向性を半値角でαとするとき、
０°≦α≦１０°
であり、前記第２照明装置の出射光の指向性を半値角でβとするとき、
２０°≦β≦３５°
であることが望ましい。ここで、半値角とは、電気光学パネルの光の強度を角度を変えて測定した場合に、正面すなわち法線方向の強度に対して強度が半分になる角度のことである。この半値角は、光の指向性を評価するのに適した値であり、この半値角が小さければ指向性が狭く、半値角が大きければ指向性が広いものと判定できる。
【００１９】
電気光学パネルに近い第１照明装置の指向性と、電気光学パネルから遠い第２照明装置の指向性とを上記のように設定すれば、第２照明装置からの光が第１照明装置を通過するということを実現し易くできる。そして、これにより、異なる指向性の照明装置を用いて視野角を切り換えるという本発明を確実に実現できる。
【００２０】
次に、本発明に係る電気光学装置において、前記第１照明装置は、前記電気光学パネルに対向して配置された第１導光体と、該第１導光体の側方位置に配置された第１光源とを有することができる。そしてその場合、前記第１導光体は前記第１光源から出た光を前記第２照明装置の出射光の指向性よりも狭い指向性で前記電気光学パネルへ向かう面状の光に変換することが望ましく、さらに、前記第１導光体は前記第２照明装置から前記電気光学パネルへ向かう光を通過させることが望ましい。
【００２１】
この構成は、電気光学パネルに近い位置にある第１照明装置を導光体を用いて構成したものである。導光体を用いれば、第２照明装置からの光を電気光学パネルへ向けて無理なく通過させることができる。この発明の態様において、第２照明装置は導光体を用いる構造のものでも良いし、導光体を用いない構造のものでも良い。
【００２２】
次に、電気光学パネルに近い第１照明装置に第１導光体を用いた上記の電気光学装置においては、前記第１導光体は透光性の樹脂材料によって形成されることが望ましく、そして、前記第１導光体の観察側の面及び／又は観察側と反対側の面には前記第１光源から出た光を前記電気光学パネルへ向かわせるパターンが形成されることが望ましい。こうすれば、第１照明装置において、第２照明装置から電気光学パネルへ向かう光を通過させることと、第１照明装置それ自体からの光を電気光学パネルへ供給することを、確実に実現できる。
【００２３】
次に、電気光学パネルに近い第１照明装置に第１導光体を用いた上記の電気光学装置においては、前記第１導光体と前記電気光学パネルとの間にヘイズ値が５０％以下の拡散層を設けることが望ましい。ここで、ヘイズ値とは、光の拡散の程度を表す数値として周知のものであり、本発明ではこのヘイズ値として５０％以下の拡散層が用いられることが望ましい。
【００２４】
本発明では、第１導光体と電気光学パネルとの間には、基本的には、何等の光学シート又は光学要素を用いる必要はない。第２照明装置から電気光学パネルへ向かう光を第１照明装置を通過させることを考えれば、そのような光学シートや光学要素は存在しない方が良いとも考えられる。しかしながら、第１導光体と電気光学パネルとの間に何等の光学要素も存在しないと、電気光学パネルの表示の見栄えが悪くなるおそれがある。例えば、第１導光体に設けた光反射用又は光屈折用のパターンが外部から見えて、いわゆるギラギラ感又はギラツキ感が顕著になってしまうおそれがある。これに対し、上記の本発明態様のように、第１導光体と電気光学パネルとの間にヘイズ値が５０％以下の拡散層を設けることにすれば、明るさの低下を抑えつつ、表示の見栄えが悪くなることを解消できる。
【００２５】
次に、本発明に係る電気光学装置おいて、前記第１光源は線状光源であることが望ましい。第１光源は、電気光学パネルに近い側に配設される第１照明装置を構成する光源である。この光源を線状光源とすることにより、第１照明装置から電気光学パネルへ面内で均一な光を供給できる。なお、線状光源としては、ＬＥＤ等といった点状光源からの光を棒状導光体を使って線状に変換する構造の光源や、冷陰極線管等を用いることができる。また、第１光源として線状光源を用いる場合、その線状光源はその軸線が前記電気光学パネルを視認する際の目線の縦方向に延びるように配置されることが望ましい。
【００２６】
一般に、人がある物体を見た場合、その目線の縦方向に関しては指向性に対して鈍感であり、横方向に関しては指向性に対して敏感である。従って、線状光源の配置の仕方としてはその軸線が目線の縦方向に沿うように配置されることが望ましい。
【００２７】
次に、第１照明装置及び第２照明装置の２つの照明装置を有する本発明に係る電気光学装置において、電気光学パネルから遠い側にある前記第２照明装置は、前記第１照明装置に対向して配置された第２導光体と、該第２導光体の側方位置に配置された第２光源とを有することが望ましい。そしてその場合、前記第２導光体は前記第２光源から出た光を前記第１照明装置の出射光の指向性よりも広い指向性で前記第１照明装置へ向かう面状の光に変換することが望ましい。
【００２８】
この構成は、電気光学パネルから遠い側にある第２照明装置を導光体を用いて構成したものである。この構成において、第１照明装置は導光体を用いて構成しても、あるいは導光体を用いることなく構成しても良い。
【００２９】
次に、本発明に係る電気光学装置では、電気光学パネルに近い位置にある第１照明装置と、電気光学パネルから遠い位置にある第２照明装置との両方を導光体を用いて構成することができる。この構成は、現在、非常に実現性の高い構成である。この構成を採用した場合には、前記第１導光体と前記第２導光体との間に少なくとも１つの拡散層を設けることが望ましい。こうすれば、第２照明装置を用いた指向性の広い表示を面内均一性の高い表示とすることができる。また、第１導光体及び第２導光体の出射光の指向性をこの拡散層によって調節できる。
【００３０】
また、第１照明装置及び第２照明装置の両方を導光体を用いて構成する場合には、前記第１導光体と前記第２導光体との間に少なくとも１つのプリズムシートを設けることもできる。このプリズムシートは、それ単独で設けても良く、あるいは、上記拡散層と一緒に設けても良い。プリズムシートを用いれば、第２照明装置内の第２導光体から出た光を特定の方向へ集めることができる。また、第１導光体及び第２導光体の出射光の指向性をこのプリズムシートによって調節できる。
【００３１】
次に、第１照明装置及び第２照明装置の両方を導光体を用いて構成した上記構成の電気光学装置においては、前記第１導光体と前記第２導光体との間に反射偏光子を設けることが望ましい。反射偏光子とは、特定の偏光を通すことができ、それ以外の偏光は反射するという性質を有するものとして周知の光学要素である。この反射偏光子を第１導光体と第２導光体との間に設けることにより、第２導光体から出射する光を無駄に消費することなく第１導光体を通して電気光学パネルへ供給することができるようになる。
【００３２】
また、第１照明装置及び第２照明装置の両方を導光体を用いて構成した上記構成の電気光学装置において、前記第１導光体の出射光の指向性を半値角でαとするとき、
０°≦α≦１０°
であり、前記第２導光体の出射光の指向性を半値角でβとするとき、
２０°≦β≦３５°
であることが望ましい。
【００３３】
電気光学パネルに近い第１導光体の指向性と、電気光学パネルから遠い第２導光体の指向性とを上記のように設定すれば、異なる指向性の照明装置を用いて視野角を切り換えるという本発明を確実に実現できる。
【００３４】
次に、本発明に係る照明装置は、光を発生する第１光源と、照明対象物に対向して配置され前記第１光源から出た光を面状の光に変換する第１導光体と、光を発生する第２光源と、前記照明対象物から見て前記第１導光体の後方に配置されると共に前記第２光源から出た光を前記第１導光体へ向かう面状の光に変換する第２導光体とを有し、前記第１導光体の出射光の指向性は前記第２導光体の出射光の指向性よりも狭いことを特徴とする。
【００３５】
この構成の照明装置によれば、出射光の指向性が異なる２つの導光体を用いたので、照明対象物へ光を供給する導光体をそれらの間で切り換えることにより、異なった指向性の光を照明対象物へ供給できる。照明対象物が表示装置であれば、表示に関して視野角を切り換えることができる。
【００３６】
次に、本発明に係る電子機器は、以上に記載した構成の電気光学装置を有することを特徴とする。このような電子機器としては、携帯電話機、携帯情報端末機、ＩＣレコーダ、その他種々の電子機器が考えられる。本発明に係る電気光学装置によれば、表示に関する視野角を切り換えることができるので、本発明の電子機器においても表示に関する視野角を切り換えることができる。
【発明を実施するための最良の形態】
【００３７】
（電気光学装置及び照明装置の第１実施形態）
以下、本発明に係る電気光学装置の一実施形態をその一例である液晶表示装置を例に挙げて説明する。なお、本発明がその実施形態に限定されるものでないことは、もちろんである。また、以下に例示する図面では、発明の要旨を理解し易くするために、各部材の寸法比を必要に応じて実際のものと異ならせてあることに留意すべきである。
【００３８】
図１は、本発明に係る電気光学装置の一実施形態である液晶表示装置を示している。ここに示す液晶表示装置１Ａは、電気光学パネルとしての液晶パネル２と、第１照明装置３と、第２照明装置４とを有する。矢印Ａが記された側が液晶パネル２を観察する際の観察側である。第１照明装置３は観察側から見て液晶パネル２の後方に設けられている。また、第２照明装置４は観察側から見て第１照明装置３の後方に設けられている。つまり、第１照明装置３と第２照明装置４とは、第１照明装置３を液晶パネル２に近い側に置いた状態で互いに重ねて配置されている。また、換言すれば、液晶パネル２、第１照明装置３及び第２照明装置４は観察側からその順番で配置されている。
【００３９】
第１照明装置３は第１光源１６ａと第１導光体１７ａとを有し、第１光源１６ａから放出される光を面状の光に変換して液晶パネル２へ供給する。また、第２照明装置４は複数の第２光源１６ｂと第２導光体１７ｂとを有し、第２光源１６ｂから放出される光を面状の光に変換して液晶パネル２へ供給する。このとき、第２照明装置４から出た面状の光は第１照明装置３の第１導光体１７ａを透過して液晶パネル２へ供給される。
【００４０】
液晶パネル２は、第１基板６ａと、第２基板６ｂと、第１基板６ａの外側表面に接着された偏光板７ａと、第２基板６ｂの外側表面に接着された偏光板７ｂとを有する。偏光板７ａの偏光軸と偏光板７ｂの偏光軸は適宜にずらせた状態に設定されている。なお、偏光板７ａ，７ｂに加えて他の光学要素、例えば位相差板等を設けても良い。第１基板６ａは第２基板６ｂの外側へ張り出す張出し部８を有し、この張出し部８上に駆動用ＩＣ９がＡＣＦ（Anisotropic Conductive Film）１１を用いてＣＯＧ（Chip On Glass）技術によって実装されている。
【００４１】
液晶パネル２は、詳しい図示は省略するが、例えばそれぞれが電極を備えた一対の透光性の基板間に液晶を封入することによって形成される。第１照明装置３、第２照明装置４、又は第１照明装置３及び第２照明装置４の両方から液晶パネル２へ面状の光が供給されるとき、一対の電極に印加する電圧を画素ごとに制御することにより、液晶を通過する光を画素ごとに変調し、この変調光を偏光板に通すことにより、その偏光板の光出射側に文字、数字、図形等といった像を表示する。
【００４２】
液晶パネル２は、任意の表示モードによって構成できる。例えば、液晶駆動方式でいえば、単純マトリクス方式およびアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶（すなわち、垂直配向用液晶）、その他任意の液晶を用いることができる。また、採光方式でいえば、透過型又は半透過反射型のいずれであっても良い。
【００４３】
透過型とは、液晶パネル２を透過する光を用いて表示を行う方式である。また、半透過反射型とは、上記の透過型に代えて反射型の表示も行うことができる形式である。反射型表示とは、太陽光、室内光等といった外部光を液晶パネル２の内部で反射させて表示のために用いる方式である。
【００４４】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モードが用いられる。次に、アクティブマトリクス方式とは、画素またはドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００４５】
上記のような液晶パネル２において、カラー表示を行う場合には、一対の基板のうちの一方にカラーフィルタが設けられる。カラーフィルタは、特定の波長域の光を選択的に透過する複数のフィルタによって形成される。例えば、３原色であるＢ（青），Ｇ（緑），Ｒ（赤）の１色ずつを基板上の各画素に対応させて所定の配列、例えばストライプ配列、デルタ配列、モザイク配列で並べることによって形成される。
【００４６】
液晶パネル２として、ＴＦＤ素子を用いたアクティブマトリクス方式の液晶パネルを用いるものとすれば、その電気的な等価回路は図５に示す通りである。図５において、複数本の走査線２１が行方向Ｘに延びるように形成され、さらに、複数本のデータ線２２が列方向Ｙに延びるように形成されている。走査線２１は図１の第１基板６ａ又は第２基板６ｂのうちのＴＦＤ素子が設けられない方の基板上に帯状電極として形成される。また、データ線２２は第１基板６ａ又は第２基板６ｂのうちのＴＦＤ素子が設けられる方の基板上にライン配線として形成される。表示の最小単位である表示ドットＤは走査線２１とデータ線２２との各交差部分に形成される。各表示ドットＤにおいては、液晶層２３と、ＴＦＤ素子２４とが直列に接続されている。
【００４７】
各表示ドットＤに青色（Ｂ）、緑色（Ｇ）、赤色（Ｒ）の各色フィルタのうちの１色を対応させてカラー表示を行う場合には、３色の表示ドットＤが集まって１つの画素が形成される。一方、白黒等によってモノカラー表示を行う場合には表示ドットＤの１つが１つの画素を形成する。
【００４８】
図５では、液晶層２３が走査線２１の側に接続され、ＴＦＤ素子２４がデータ線２２の側に接続されているが、接続関係をその逆にしても良い。各走査線２１は、走査線駆動回路９ａによって駆動される。一方、各データ線２２は、データ線駆動回路９ｂによって駆動される。走査線駆動回路９ａ及びデータ線駆動回路９ｂは図１の駆動用ＩＣ９によって構成される。駆動用ＩＣ９は、共通のＩＣによって両駆動回路９ａ及び９ｂを賄うものであっても良いし、あるいは、両駆動回路９ａ及び９ｂを個別のＩＣに割り当てても良い。
【００４９】
他方、液晶パネル２として、ＴＦＴ素子を用いたアクティブマトリクス方式の液晶パネルを用いるものとすれば、その電気的な等価回路は図６に示す通りである。図６において、複数本の走査線２１が行方向Ｘに延びるように形成されている。また、複数本のデータ線２２が列方向Ｙに延びるように形成されている。走査線２１は図１の第１基板６ａ又は第２基板６ｂの一方に形成されたＴＦＴ素子のゲート電極につながる線として形成され、データ線２２はＴＦＴ素子のソース電極につながる線として形成される。第１基板６ａ又は第２基板６ｂのうちのＴＦＴ素子が形成されない方の基板上には面状の共通電極が形成される。
【００５０】
表示ドットＤは走査線２１とデータ線２２との各交差部分に形成される。各表示ドットＤにおいては、ＴＦＴ素子２６とドット電極２７とが直列に接続されている。各走査線２１は、走査線駆動回路９ａによって駆動される。一方、各データ線２２は、データ線駆動回路９ｂによって駆動される。走査線駆動回路９ａ及びデータ線駆動回路９ｂは図１の駆動用ＩＣ９によって構成される。
【００５１】
走査信号はＴＦＴ素子２６のゲートへ送られ、データ信号はＴＦＴ素子２６のソースへ送られる。ＴＦＴ素子２６がＯＮ状態になると、対応するドット電極２７への通電が成されて対応する表示ドットＤ内の液晶への書き込みが行われる。また、引き続いてＴＦＴ素子２６がＯＦＦ状態になると、書き込まれた状態が保持される。この一連の書き込み動作及び保持動作により、液晶分子がＴＮ構造と垂直配向との間で制御される。
【００５２】
さて、図１に示した第１照明装置３は、図２（ａ）に示すように、第１光源１６ａと第１導光体１７ａとを有する。第１導光体１７ａは、長方形又は正方形の平板状に形成されている。第１導光体１７ａの１つの角部には直線状の面取りが施されており、この面取りに対向して第１光源１６ａが設けられている。第１導光体１７ａは、例えばアクリル樹脂等といった光透過性材料によって形成されている。この第１導光体１７ａの厚さは、例えば０．６ｍｍ程度である。第１光源１６ａは、例えば、白色光を発光するＬＥＤ（Light Emitting Diode）、その他の点状光源を用いて構成できる。
【００５３】
図２（ａ）において矢印Ａで示す側が観察側であり、第１導光体１７ａの観察側と反対側の表面には複数の反射パターン１８ａが形成されている。これらの反射パターン１８ａは第１光源１６ａを中心として円弧状、楕円弧状、長円弧状又はその他の曲線状に形成されている。反射パターン１８ａは、また、直線状に形成することもできる。これらの反射パターン１８ａは、例えば図２（ｂ）に示すように断面三角形状の溝、もしくは突条として形成されている。この反射パターン１８ａは第１光源１６ａから出た光を矢印Ｌ０で示すように反射して第１導光体１７ａの光出射面１９から液晶パネル２へ向けて出射できる。また、第１導光体１７ａは、観察側と反対側（すなわち、光出射側と反対側）から入射した光Ｌ１を減衰させることなく液晶パネル２へ向けて出射できる。
【００５４】
反射パターン１８ａは、その断面三角形状の第１光源１６ａに対向する傾斜面の傾斜角度θを変えることにより、光出射面１９から出射する光の指向性を変えることができる。傾斜角度θは、導光体の出射面に対して、垂直方向に立ち上がるように設定する。全ての光学パターンの傾斜角度θを同一に設定すれば、指向性を狭くできる。本実施形態では、図４（ａ）に示すように、第１照明装置３を点灯させて液晶パネル２によって表示を行ったときに、その表示の指向性が半値角αで
０°≦α≦１０°
となるように、すなわち指向性が狭くなるように、図２（ｂ）の反射パターン１８ａの傾斜角度θを設定した。この場合、液晶パネル２の表示に関する指向性は、パネル側に拡散成分をもっているため、第１導光体１７ａから出射する光の指向性よりも若干広がる傾向にある。
【００５５】
なお、第１導光体１７ａに設ける反射パターンは、図２（ｂ）に示すように光出射面１９と反対側の面に設けられる溝状のパターン１８ａに限られるものでなく、例えば、図３（ａ）に示すように光出射面１９と反対側の面に設けられる突条のパターン１８ｂとすることもでき、図３（ｂ）に示すように光出射面１９に設けられる溝状のパターン１８ｃとすることもでき、あるいは、図３（ｃ）に示すように光出射面１９に設けられる突条のパターン１８ｄとすることもできる。
【００５６】
図１において、観察側から見て第１照明装置３の後方に重ねて配置された第２照明装置４は、複数、本実施形態では３個の第２光源１６ｂと、第２導光体１７ｂと、反射シート３１と、拡散シート３２とを有する。反射シート３１は第２導光体１７ｂの観察反対側に接着され、拡散シート３２は第２導光体１７ｂの観察側に接着されている。第２光源１６ｂは、例えば、白色ＬＥＤによって形成される。また、第２導光体１７ｂは、例えばアクリル樹脂等といった光透過性材料によって形成されている。
【００５７】
第２光源１６ｂから放出された光は、第２導光体１７ｂの中へ入り、一部の光は反射シート３１で反射した後に拡散シート３２を通して第１照明装置３へ供給される。また、第２導光体１７ｂの中へ入った光の他の部分は反射シート３１で反射することなく拡散シート３２を通して第１照明装置３へ供給される。第１照明装置３へ供給された光は、そのまま第１照明装置３を通過して液晶パネル２へ供給される。反射シート３１を設けることに代えて、又は反射シート３１を設けることに加えて、第２導光体１７ｂの観察側と反対の面に光を反射させるためのドットパターンを形成しても良い。
【００５８】
第２照明装置４は、その光出射面に拡散シート３２を有するので、第１照明装置３に比べて指向性の広い光を出射できる。例えば、本実施形態では、図４（ｂ）に示すように、第２照明装置４を点灯させて液晶パネル２によって表示を行ったときに、その表示の指向性が半値角βで
２０°≦β≦３５°
となるように、すなわち指向性が広くなるように、設定してある。
【００５９】
次に、本実施形態に係る電気光学装置１Ａは図７に示すような制御系を有する。図７において、これまでに説明した要素と同じ要素は同じ符号を付して記載されている。この制御系において、第１照明装置３の第１光源１６ａ及び第２照明装置４の第２光源１６ｂの動作は発光制御回路３７によって制御される。具体的には、発光制御回路３７の制御により、第１光源１６ａだけが点灯するか、第２光源１６ｂだけが点灯するか、第１光源１６ａ及び第２光源１６ｂの両方が点灯するかが選択される。
【００６０】
また、この制御系において、走査線駆動回路９ａ及びデータ線駆動回路９ｂの動作はパネル制御回路３６によって制御される。パネル制御回路３６は、例えば、走査線駆動回路９ａへ走査信号を伝送し、データ線駆動回路９ｂへデータ信号を伝送する。これらの信号伝送により、液晶パネル２内の複数の表示ドットＤ（図５及び図６参照）が個々に光を通すＯＮ状態か、あるいは光を通さないＯＦＦ状態かに制御される。ＯＮ状態のとき、第１照明装置３及び／又は第２照明装置４から供給された光が液晶パネル２を透過して視認される。また、表示ドットＤがＯＦＦ状態のとき、第１照明装置３及び／又は第２照明装置４から供給された光が液晶パネル２において外部へ出ることを遮断される。このように光の透過及び遮断を表示ドットＤ毎に制御することにより、液晶パネル２の表示領域内に数字、文字、図形等といった像が表示され、その表示が図１の矢印Ａ方向から観察される。
【００６１】
図７において、パネル制御回路３６及び発光制御回路３７の動作は表示制御回路３８によって制御される。この表示制御回路３８は、液晶表示装置用の専用の回路として構成することもできるし、携帯電話機等といった電子機器内の制御回路の一部分として構成することもできるし、あるいは、パーソナルコンピュータ内の演算制御装置によって構成することもできる。この表示制御回路３８は、操作ボタン、キーボード、マウス等といった任意の操作入力装置３９から伝送される情報に基づいて発光制御回路３７及びパネル制御回路３６を制御する。
【００６２】
以下、本実施形態の電気光学装置１Ａの動作を説明する。
図１において、液晶パネル２の表示領域Ｖ内に秘密性の高い情報、すなわち他人に見られることが望ましくない情報を表示する場合には、図７において操作入力装置３９を操作して狭い指向性で表示を行うことを指示する。すると、表示制御回路３８はその旨の信号を発光制御回路３７へ伝送し、その信号を受けた発光制御回路３７は、狭い発光指向性を有する第１照明装置３を図４（ａ）に示すように狭い指向性の下に発光させる。このとき、第２照明装置４は消灯状態にする。
【００６３】
そして、第１照明装置３の発光と同時に、表示制御回路３８はパネル制御回路３６へ必要な画像信号を伝送し、この画像信号を受けたパネル制御回路３６はその画像を表示させるための走査信号及びデータ信号を各駆動回路９ａ，９ｂへ伝送する。以上により、液晶パネル２の表示領域Ｖ内で指向性の狭い表示、すなわち視野角の小さい表示が行われて、観察者以外の第三者にとっては見難い表示が行われる。
【００６４】
次に、液晶パネル２の表示領域Ｖ内に公開性の高い情報、すなわち多くの人に見せたい情報を表示する場合には、図７において操作入力装置３９を操作して広い指向性で表示を行うことを指示する。すると、表示制御回路３８はその旨の信号を発光制御回路３７へ伝送し、その信号を受けた発光制御回路３７は、広い発光指向性を有する第２照明装置４を図４（ｂ）に示すように広い指向性の下に発光させる。このとき、第１照明装置３は消灯状態にする。そして、同時に、パネル制御回路３６を用いて液晶パネル２内の表示ドットＤのＯＮ／ＯＦＦを制御する。以上により、液晶パネル２の表示領域Ｖ内で指向性の広い表示、すなわち視野角の大きい表示が行われて、観察者以外の第三者にとっても見易い表示が行われる。
【００６５】
なお、第１照明装置３及び第２照明装置４の一方だけを上記のように発光状態にすることに代えて、第１照明装置３及び第２照明装置４の両方を同時に発光状態にすることにしても良い。こうすれば、指向性の広い表示を行うと共に部分的に明るい表示を行うことができる。
【００６６】
以上に説明したように、本実施形態によれば、出射光の指向性が異なる２つの照明装置３，４を液晶パネル２に対して付設したので、液晶パネル２へ光を供給する照明装置をそれらの間で切り換えれば、観察者が観察する液晶パネル２の表示に関して視野角を切り換えることができる。そしてこの場合、視野角の切り換えを行うのは電気光学セルではなくて照明装置であるので、切り換えられる表示は高い光透過率を維持することができ、従って消費電力を低く抑えることができる。また、電気光学セルの制御によって視野角を切り換える場合に比べて構成が簡単であり、コストが安い。
【００６７】
また、本実施形態では、第１照明装置３及び第２照明装置４のいずれか一方を点灯させると同時に他方を消灯させる制御を行うようにしたので、消費電力を低減できる。また、液晶パネル２を正面から見た場合の明るさの調整がし易くなる。
【００６８】
また、本実施形態では、第１照明装置３の出射光の指向性を半値角でαとするとき、
０°≦α≦１０°
とし、第２照明装置４の出射光の指向性を半値角でβとするとき、
２０°≦β≦３５°
と設定した。これにより、視野角の切り換えが確実にできるようになった。
【００６９】
また、本実施形態では、第１照明装置３及び第２照明装置４の両方を導光体１７ａ，１７ｂを用いて構成した。照明装置それ自体は必ずしも導光体を用いて構成しなければならないものではないが、導光体を用いて照明装置を構成するというのは、現在のところ、非常に実現性の高い構成である。
【００７０】
（電気光学装置及び照明装置の第２実施形態）
図８は、本発明に係る電気光学装置の他の実施形態を示している。ここに示す電気光学装置１Ｂが図１に示した先の実施形態に係る電気光学装置１Ａと異なる点は、第１照明装置３と第２照明装置４との間に２枚のプリズムシート４１ａ，４１ｂを設けたことである。これ以外の点は図１に示した電気光学装置１Ａと同じであり、同じ要素は同じ符号を付して示すことにしてその説明は省略する。
【００７１】
本実施形態をさらに詳しく説明すれば、２枚のプリズムシート４１ａ，４１ｂは、例えば図９に示すように、それぞれが断面三角形状のプリズムを複数個互いに平行に並べることによって形成されている。そしてさらに、１枚のプリズムシートにおけるプリズムの配列方向と他のプリズムシートにおけるプリズムの配列方向とが直角になるように設定されている。本実施形態では、図８において、拡散シート３２の上にプリズムシート４１ａ，４１ｂを接着させている。
【００７２】
本実施形態のように第１照明装置３と第２照明装置４との間に少なくとも１つのプリズムシート４１ａ，４１ｂを設ければ、第２照明装置４内の第２導光体１７ｂから出た光を特定の方向へ集めることができる。これにより、第２照明装置４の出射光の指向性を適宜に調節できる。なお、プリズムシー４１ａ，４１ｂは本実施形態のように拡散シート３２と一緒に用いても良いが、それら単独で設けても良い。
【００７３】
（電気光学装置及び照明装置の第３実施形態）
図１０は、本発明に係る電気光学装置のさらに他の実施形態を示している。ここに示す電気光学装置１Ｃが図８に示した先の実施形態に係る電気光学装置１Ｂと異なる点は、第１照明装置３の第１導光体１７ａと液晶パネル２との間に拡散層４２を設けたことである。これ以外の点は図８に示した電気光学装置１Ｂと同じであり、同じ要素は同じ符号を付して示すことにしてその説明は省略する。
【００７４】
本実施形態において、拡散層４２は、拡散特性を有するシートを第１照明装置３の第１導光体１７ａに接着することによって形成できる。また、拡散層４２は、拡散材料を第１導光体１７ａの表面に塗布、蒸着等することによって形成することもできる。なお、本実施形態で用いる拡散層４２はヘイズ値が５０％以下のものとする。
【００７５】
本実施形態では、第２照明装置４から液晶パネル２へ向かう光が第１照明装置３を通過する。このことを考えれば、光の減衰を避けるためにも、第１導光体１７ａと液晶パネル２との間には何等の光学要素も存在しない方が良いと考えられる。しかしながら、第１導光体１７ａと液晶パネル２との間に何等の光学要素も存在させないと、液晶パネル２の表示の見栄えが悪くなるおそれがある。例えば、第１導光体１７ａに設けた光反射用又は光屈折用のパターンが外部から見えてしまい、いわゆるギラギラ感又はギラツキ感が顕著になってしまうおそれがある。これに対し本実施形態のように、第１導光体１７ａと液晶パネル２との間に拡散層を設けることにすれば、表示の見栄えが悪くなることを防止できる。
【００７６】
なお、使用する拡散層のヘイズ値を５０％以下としたのは次の理由による。すなわち、ヘイズ値が５０％を越えると、光の拡散が大きくなり過ぎて、狭い指向性の光を出射するという第１照明装置３の本来の機能が得られなくなるおそれがあるからである。
【００７７】
（電気光学装置及び照明装置の第４実施形態）
図１１は、本発明に係る電気光学装置のさらに他の実施形態を示している。ここに示す電気光学装置１Ｄが図１０に示した先の実施形態に係る電気光学装置１Ｃと異なる点は、第１照明装置３と第２照明装置４との間に反射偏光子４３を設けたことである。これ以外の点は図１０に示した電気光学装置１Ｃと同じであり、同じ要素は同じ符号を付して示すことにしてその説明は省略する。
【００７８】
本実施形態をさらに詳しく説明すれば、反射偏光子４３は、例えば、プリズムシート４１ａ，４１ｂの上に接着されている。反射偏光子は、それ自体周知の光学要素であり、特定の偏光を通過させ、それ以外の偏光を反射するという特性を持った光学要素である。この反射偏光子４３を第１照明装置３と第２照明装置４との間に配置すれば、第２照明装置４から出射する光を無駄に消費することなく第１導光体３を通して液晶パネル２へ供給することができるので、少ない消費電力で明るい表示を行うことができる。
【００７９】
（電気光学装置及び照明装置の第５実施形態）
図１２は、本発明に係る電気光学装置のさらに他の実施形態を示している。ここに示す電気光学装置１Ｅが図１に示した先の実施形態に係る電気光学装置１Ａと異なる点は、第１照明装置３に改変を加えたことである。改変された第１照明装置を符号１３で示すことにする。第１照明装置１３以外の点は図１に示した電気光学装置１Ａと同じであり、同じ要素は同じ符号を付して示すことにしてその説明は省略する。
【００８０】
図１２において、第１照明装置１３は、第１導光体１７ｃと、線状光源１６ｃと、リフレクタ４４とを有する。リフレクタ４４は線状光源１６ｃから出た光を第１導光体１７ｃの方向へ反射する反射鏡である。線状光源１６ｃは、例えば冷陰極線管によって構成でき、図１３（ａ）に示すように第１導光体１７ｃの光入射面４７に対して平行に配置される。なお、図１３（ａ）ではリフレクタ４４は省略されている。
【００８１】
第１導光体１７ｃは、長方形又は正方形の平板状に形成されている。また、第１導光体１７ｃは、例えばアクリル樹脂等といった光透過性材料によって形成されている。図１３（ａ）において矢印Ａで示す側が観察側であり、第１導光体１７ｃの観察側と反対側の表面には複数の反射パターン４６が形成されている。これらの反射パターン４６は、第１導光体１３の光入射面４７に対して平行に且つ直線状に形成されている。複数の反射パターン４６は互いに略平行に並べられている。
【００８２】
これらの反射パターン４６は、例えば図１３（ｂ）に示すように断面三角形状の突条として形成されている。この反射パターン４６は第１光源１６ｃから出た光を矢印Ｌ２で示すように反射して第１導光体１７ｃの光出射面１９から液晶パネル２へ向けて出射できる。また、第１導光体１７ｃは、観察側と反対側（すなわち、光出射側と反対側）から入射した光Ｌ１を減衰させることなく液晶パネル２へ向けて出射できる。
【００８３】
本実施形態では、図４（ａ）に示すように、第１照明装置３を点灯させて液晶パネル２によって表示を行ったときに、その表示の指向性が半値角αで
０°≦α≦１０°
となるように、すなわち指向性が狭くなるように、図１３（ｂ）の反射パターン４６の傾斜角度を設定した。
【００８４】
なお、図１３に示す第１照明装置１３は、従来から液晶表示装置の分野で知られているフロントライトをその表裏を反転させて使用することができる。また、線状光源１６ｃは、冷陰極線管に限られず、図１４に示すように、点状光源であるＬＥＤを用いて構成することもできる。具体的には、図１４に示す線状光源１６ｄは、反射パターン４８を備えた棒状導光体４９の両端面に一対のＬＥＤ５１，５１を設け、棒状導光体４９の反射端面側にリフレクタ５２を設け、さらに棒状導光体４９の光出射端面に拡散板５３を設けることによって形成されている。
【００８５】
図１２に示す本実施形態の電気光学装置１Ｅにおいても、出射光の指向性が異なる２つの照明装置１３，４を液晶パネル２に対して付設したので、液晶パネル２へ光を供給する照明装置をそれらの間で切り換えれば、観察者が観察する液晶パネル２の表示に関して視野角を切り換えることができる。そしてこの場合、視野角の切り換えを行うのは液晶セルではなくて照明装置であるので、切り換えられる表示は高い光透過率を維持することができ、従って消費電力を低く抑えることができる。また、液晶セルの制御によって視野角を切り換える場合に比べて構成が簡単であり、コストが安い。
【００８６】
なお、光源として線状光源を用いる場合には、観察者が液晶パネル２の表示を見る際の目線と線状光源の配置方向との関係に配慮することが望ましい。詳しく説明すれば、一般に、人がある物体を見た場合、その目線の縦方向に関しては指向性に対して鈍感であり、横方向に関しては指向性に対して敏感である。従って、今、図１２において観察者の目線の縦方向を「Ｌ」で示し、目線の横方向を「Ｈ」で示すとき、線状光源１６ｃは目線の縦方向Ｌに対して平行又は略平行に設けることが望ましい。
【００８７】
（電気光学装置及び照明装置の変形例）
本発明の照明装置及び電気光学装置では、第１照明装置３は第２照明装置４から出射した光を透過させる必要があるため透光性を備えていなければならず、そのため、第１照明装置３は導光体を用いることが有利である。これに対し、第２照明装置４は透光性を備える必要が無いため、導光体を用いない照明装置、例えば、無機ＥＬバックライト、有機ＥＬバックライト等を用いることができる。
【００８８】
例えば、有機ＥＬバックライトについて説明すれば、このバックライトは薄型の面状発光素子である有機ＥＬ素子を利用し、直流の低電圧駆動ができること、及び高輝度発光ができることが期待されている。この有機ＥＬバックライトは、例えば、ガラス基板上にＩＴＯ（Indium Tin Oxide）によって透明電極（すなわち、陽極）を形成し、その上にホール輸送層を形成し、その上に発光層を形成し、その上に電子輸送層を形成し、そして、その上に背面電極（すなわち、陰極）を形成することによって作製される。通常は、ガラス基板側が発光面となる。
【００８９】
有機ＥＬ素子の発光は、ＩＴＯの透明電極から注入されたホールと背面電極から注入された電子とが発光層で再結合し、発光中心である蛍光色素等を励起することによって起こるものである。電子輸送性発光層中に赤色、緑色、青色に発光する３種類の蛍光色素を均一に分散させることにより、白色発光が可能である。
【００９０】
バックライトとして従来から広く知られている構造として、点状光源からの光を導光板によって面状の光に変換する構造がある。このバックライトにおいては、点状光源からの光を面状に変換するため、どうしても導光板の出射光を均一にし難いという性質がある。それに対して、ＥＬバックライトはそれ自体が発光しているため，出射光の均一性が高いという性質がある。また、導光板を用いたバックライトは導光板に設けられたパターンで光の反射を変えることにより導光板から光を出射しているため、どうしても出射光が指向性を持ってしまう。それに対して、ＥＬバックライトはそれ自体が発光しているため、無指向性のバックライトになる。
【００９１】
ＥＬバックライトの出射光の半値角は４０度以上になるが、そこまで指向性がない状態では商品として使いづらいため、プリズムシートを２枚用いる等して半値角を３５度程度に抑えて使うことが考えられる。以上のように、ＥＬバックライトは出射光が面内で均一であるので、本発明における第２照明装置４としてＥＬバックライトを用いれば、均一な広がりを持つ照明光を得ることができる。また、ＥＬバックライトは出射光の広がりが大きいので、表示の視野角を広くできる。
【００９２】
（電子機器の第１実施形態）
以下、本発明に係る電子機器を実施形態を挙げて説明する。なお、この実施形態は本発明の一例を示すものであり、本発明はこの実施形態に限定されるものではない。図１５は、本発明に係る電子機器の一実施形態のブロック図を示している。ここに示す電子機器は、電気光学装置１Ｆと、これを制御する制御回路７０とを有する。電気光学装置１Ｆは、電気光学パネルとしての液晶パネル６２と、半導体ＩＣ等で構成される駆動回路６９と、第１照明装置６３と、第２照明装置６４とを有する。
【００９３】
制御回路７０は、表示情報出力源７３と、表示情報処理回路７４と、電源回路７６と、タイミングジェネレータ７７と、発光制御回路７８を有する。表示情報出力源７３は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。この表示情報出力源７３は、タイミングジェネレータ７７によって生成された各種のクロック信号に基づいて、所定フォーマットの画像信号等の形で表示情報を表示情報処理回路７４に供給する。
【００９４】
表示情報処理回路７４は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路６９へ供給する。駆動回路６９は、走査線駆動回路、データ線駆動回路及び検査回路を含む。また、電源回路７６は、上記の各構成要素にそれぞれ所定の電圧を供給する。発光制御回路７８は、第１照明装置６３及び第２照明装置６４の動作を制御する。
【００９５】
電気光学装置１Ｆは、例えば、図１の電気光学装置１Ａや、図８に示す電気光学装置１Ｂや、図１０に示す電気光学装置１Ｃや、図１１に示す電気光学装置１Ｄや、図１２に示す電気光学装置１Ｅ等によって構成できる。これらの電気光学装置では、第１照明装置と第２照明装置の２つの照明装置を用いることにより、視野角の異なった表示ができるようになっている。従って、これらの電気光学装置を用いた本実施形態の電子機器も、必要に応じて、視野角の異なった表示を行うことができる。
【００９６】
（電子機器の第２実施形態）
図１６は、本発明に係る電子機器の一例である携帯電話機を示している。ここに示す携帯電話機８０は、本体部８１と、これに開閉可能に設けられた表示体部８２とを有する。表示体部８２の内部には電気光学装置１Ｇが配置され、電話通信に関する各種表示は、表示体部８２において表示画面８４によって視認できる。本体部８１には操作ボタン８６が配列されている。
【００９７】
表示体部８２の一端部にはアンテナ８７が伸縮自在に取り付けられている。表示体部８２の上部に設けられた受話部８８の内部には、図示しないスピーカが配置される。また、本体部８１の下端部に設けられた送話部８９の内部には図示しないマイクが内蔵されている。電気光学装置１Ｇの動作を制御するための制御部は、携帯電話機の全体の制御を司る制御部の一部として、又はその制御部とは別に、本体部８１又は表示体部８２の内部に格納される。
【００９８】
電気光学装置１Ｇは、例えば、図１２に示すような線状光源１６ｃを用いる構成の電気光学装置１Ｅによって構成するものとする。本実施形態の携帯電話機８０では、線状光源１６ｃを通話者の目線の縦方向、すなわち表示体部８２の長手方向、すなわち図１６の上下方向に沿って延びるように配置する。これにより、人の視覚の縦方向と横方向との間での指向性の感じ方の違いを補償できる。図１２に示す電気光学装置１Ｅでは、第１照明装置と第２照明装置の２つの照明装置を用いることにより、視野角の異なった表示ができるようになっている。従って、この電気光学装置を用いた本実施形態の電子機器も、必要に応じて、視野角の異なった表示を行うことができる。
【００９９】
（電子機器に関するその他の実施形態）
以上、好ましい実施形態を挙げて本発明を説明したが、本発明はその実施形態に限定されるものでなく、請求の範囲に記載した発明の範囲内で種々に改変できる。
例えば、本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、その他各種の機器が考えられる。
【産業上の利用可能性】
【０１００】
本発明に係る電気光学装置は、携帯電話機、携帯情報端末機、ＩＣレコーダ、その他の電子機器で各種の表示を行う際に表示用の機器として好適に用いられる。特に、視野角を異ならせて表示を行いたい場合に好適に用いられる。また、本発明に係る電子機器は携帯電話機、携帯情報端末機、ＩＣレコーダ等といった民生機器や、計測器その他の工業用機器等として用いられる。
【図面の簡単な説明】
【０１０１】
【図１】本発明に係る電気光学装置の一実施形態を示す斜視図である。
【図２】図１の装置で用いる照明装置の一例を示す図であり、（ｂ）は（ａ）のＡ−Ａ線に従った断面図である。
【図３】図２に示す照明装置の変形例を示す図である。
【図４】光の指向性を説明するための図であり、（ａ）は狭い指向性、（ｂ）は広い指向性を示している。
【図５】図１の装置で用いる液晶パネルの一例の電気的な等価回路を示す図である。
【図６】図１の装置で用いる液晶パネルの他の一例の電気的な等価回路を示す図である。
【図７】図１の装置に付設する制御系の一例を示すブロック図である。
【図８】本発明に係る電気光学装置の他の実施形態を示す斜視図である。
【図９】図８の装置で用いるプリズムシートの一例を示す斜視図である。
【図１０】本発明に係る電気光学装置のさらに他の実施形態を示す斜視図である。
【図１１】本発明に係る電気光学装置のさらに他の実施形態を示す斜視図である。
【図１２】本発明に係る電気光学装置のさらに他の実施形態を示す斜視図である。
【図１３】図１２の装置で用いる照明装置を示す図であり、（ｂ）は（ａ）のＢ−Ｂ線に従った断面図である。
【図１４】図１３の照明装置で用いる光源の一例を示す分解斜視図である。
【図１５】本発明に係る電子機器の一実施形態を示すブロック図である。
【図１６】本発明に係る電子機器の他の実施形態を示す斜視図である。
【符号の説明】
【０１０２】
１Ａ，１Ｂ，１Ｃ，１Ｄ，１Ｅ．液晶表示装置（電気光学装置）、
１Ｆ，１Ｇ．電気光学装置、  ２．液晶パネル（電気光学パネル）、
３．第１照明装置、  ４．第２照明装置、  ６ａ．第１基板、  ６ｂ．第２基板、
７ａ，７ｂ．偏光板、  ８．張出し部、  ９．駆動用ＩＣ、  １１．ＡＣＦ、
１３．第１照明装置、  １６ａ．第１光源、  １６ｂ．第２光源、
１６ｃ．第１光源（線状光源）、  １６ｄ．第１光源（線状光源）、
１７ａ．第１導光体、  １７ｂ．第２導光体、  １７ｃ．第１導光体、
１８ａ，１８ｃ．溝状反射パターン、  １８ｂ，１８ｄ．突条反射パターン、
１９．光出射面、  ２１．走査線（帯状電極）、  ２２．データ線（ライン配線）、
２３．液晶層、  ２４．ＴＦＤ素子、  ２６．ＴＦＴ素子、  ２７．ドット電極、
３１．反射シート、  ３２．拡散シート、  ３９．操作入力装置、
４１ａ，４１ｂ．プリズムシート、  ４２．拡散層、  ４３．反射偏光子、
４４．リフレクタ、  ４６．反射パターン、  ４７．光入射面、  ４８．反射パターン、
４９．棒状導光体、  ５１．ＬＥＤ、  ５２．リフレクタ、  ５３．拡散板、
６２．液晶パネル、  ６３．第１照明装置、  ６４．第２照明装置、  ６９．駆動回路、
７０．制御回路、  ８０．携帯電話機（電子機器）、  Ｄ．表示ドット、  Ｈ．横方向。
Ｌ．縦方向、  Ｌ０．反射した出射光、Ｌ１．透過した出射光、
Ｌ２．反射した出射光、  θ．反射パターンの傾斜角度
【図１】
2006106074.tif 000003
【図２】
2006106074.tif 000004
【図３】
2006106074.tif 000005
【図４】
2006106074.tif 000006
【図５】
2006106074.tif 000007
【図６】
2006106074.tif 000008
【図７】
2006106074.tif 000009
【図８】
2006106074.tif 000010
【図９】
2006106074.tif 000011
【図１０】
2006106074.tif 000012
【図１１】
2006106074.tif 000013
【図１２】
2006106074.tif 000014
【図１３】
2006106074.tif 000015
【図１４】
2006106074.tif 000016
【図１５】
2006106074.tif 000017
【図１６】
2006106074.tif 000018